(57)【要約】【課題】横幅、深さ、奥行きのある２つ以上の方形状容器を自由に組み合わせ、バリエーションに富む使い方ができるようにする。【解決手段】横幅、深さ、奥行きのある同一形状の２つ以上の一面開放型の有底の方形状容器を自由に組み合わせ、屑入れやリサイクルボックスとして利用する。また、横幅、深さ、奥行きの３つのパラメータのうちのいずれかを異ならしめた複数種の一面開放型の有底の方形状容器のいずれかから選択された２つ以上の方形状容器を自由に組み合わせ、屑入れやリサイクルボックスとして利用する。各方形状容器Ａ〜Ｄに他の方形状容器の口部の一辺ａ’〜ｄ’に係合させ得るフランジａ〜ｄを形成しておけば、２つ以上の方形状容器を連結・固定でき、いずれも分離しない状態で使用できる。【選択図】図１
0003145681.tif 000002
【実用新案登録請求の範囲】
【請求項１】
横幅、深さ、奥行きのある同一形状の２つ以上の一面開放型の有底の方形状容器からなり、各方形状容器の正面側開口縁には他の方形状容器の口部の一辺に係合させ得るフランジが備えられていることを特徴とする組み合わせ自在の容器。
【請求項２】
横幅、深さ、奥行きの３つのパラメータのうちのいずれかを異ならしめた複数種の一面開放型の有底の方形状容器のいずれかから選択された２つ以上の方形状容器からなり、各方形状容器の正面側開口縁には他の方形状容器の口部の一辺に係合させ得るフランジが備えられていることを特徴とする組み合わせ自在の容器。
【考案の詳細な説明】
【技術分野】
【０００１】
本考案は、横幅、深さ、奥行きのある同一形状の２つ以上の一面開放型の有底の方形状容器からなる組み合わせ自在の容器、さらには、前記横幅、深さ、奥行きの３つのパラメータのうちのいずれかを異ならしめた複数種の一面開放型の有底の方形状容器のいずれかから選択された２つ以上の方形状容器からなる組み合わせ自在の容器に関する。さらに詳しくは、横幅、深さ、奥行きのある同一形状の２つ以上の容器を自由に組み合わせることにより、さらには、前記横幅、深さ、奥行きの３つのパラメータのうちのいずれかを異ならしめた複数種の一面開放型の有底の方形状容器のいずれかから選択された２つ以上の方形状容器を自由に組み合わせることにより、様々な使い方を可能ならしめた組み合わせ自在の容器に関する。
【背景技術】
【０００２】
横幅、深さ、奥行きが全て同じである上面開放型の２つの有底の方形状容器を、上面開放型の１つの大きい方形状容器に挿脱可能ならしめたゴミ箱が提案されている（例えば、特許文献１参照）。
【０００３】
【特許文献１】実開昭５８−４８６０４号公報
【考案の開示】
【考案が解決しようとする課題】
【０００４】
先に提案されたこのゴミ箱は、可燃物と不燃物とを１つのごみ箱で分類できるようにしたものであるが、大箱の半分の大きさの２つの小箱を前記大箱の中に単に嵌め込むことができるに過ぎないものである。
【０００５】
本考案は、横幅、深さ、奥行きのある同一形状の一面開放型の有底の方形状容器を２つ以上組み合わせたとき連結・固定し得るようにすることにより、さらには、前記横幅、深さ、奥行きの３つのパラメータのうちのいずれかを異ならしめた複数種の一面開放型の有底の方形状容器のいずれかから選択された２つ以上の方形状容器を組み合わせたとき連結・固定し得るようにすることにより、２つ以上の前記方形状容器の様々な使い方を可能ならしめたものである。
【課題を解決するための手段】
【０００６】
本考案による組み合わせ自在の容器は、横幅、深さ、奥行きのある同一形状の２つ以上の一面開放型の有底の方形状容器からなり、各方形状容器の正面側開口縁には他の方形状容器の口部の一辺に係合させ得るフランジが備えられていることを特徴とする。
【０００７】
横幅、深さ、奥行きのある同一形状の方形状容器を２つ以上用いた場合には、それらを自由に組み合わることができ、この場合には、同一形状の２つ以上の上面開放型の方形状容器からなる屑入れとして利用できる。同一形状の２つ以上の上面開放型の方形状容器からなるリサイクルボックスとしても利用できる。
【０００８】
また、同一形状の２つ以上の方形状容器を寝かせた状態で重ね合わせれば、同一形状の２つ以上の側面開放型の方形状容器を複数段重ねたリサイクルボックスとして、あるいは、整理箱としても利用できる。
【０００９】
そして、これらの場合においては、同一形状の２つ以上の方形状容器に備えられているフランジのいずれかを同一形状の他の方形状容器の口部の一辺に係合させることができるので、同一形状の２つ以上の方形状容器を互いに連結・固定することができ、いずれも分離しない状態で使用できる。
【００１０】
また、本考案による組み合わせ自在の容器は、横幅、深さ、奥行きの３つのパラメータのうちのいずれかを異ならしめた複数種の一面開放型の有底の方形状容器のいずれかから選択された２つ以上の方形状容器からなり、各方形状容器の正面側開口縁には他の方形状容器の口部の一辺に係合させ得るフランジが備えられていることを特徴とする。
【００１１】
横幅、深さ、奥行きの３つのパラメータのうちのいずれかを異ならしめた複数種の一面開放型の有底の方形状容器のいずれかから選択された２つ以上の方形状容器を用いた場合においては、横幅、深さ、奥行きの３つのパラメータのうちのいずれかを異ならしめた複数種の一面開放型の有底の方形状容器のいずれかから選択された２つ以上の方形状容器を自由に組み合わることができ、この場合には、横幅、深さ、奥行きの３つのパラメータのうちのいずれかを異ならしめた複数種の一面開放型の有底の方形状容器のいずれかから選択された２つ以上の上面開放型の方形状容器からなる屑入れとして利用できる。横幅、深さ、奥行きの３つのパラメータのうちのいずれかを異ならしめた複数種の一面開放型の有底の方形状容器のいずれかから選択された２つ以上の上面開放型の方形状容器からなるリサイクルボックスとしても利用できる。
【００１２】
また、横幅、深さ、奥行きの３つのパラメータのうちのいずれかを異ならしめた複数種の一面開放型の有底の方形状容器のいずれかから選択された２つ以上の方形状容器を寝かせた状態で重ね合わせれば、側面開放型の２つ以上の方形状容器を複数段重ねたリサイクルボックスとして、あるいは、整理箱としても利用できる。
【００１３】
そして、これらの場合においては、横幅、深さ、奥行きの３つのパラメータのうちのいずれかを異ならしめた複数種の一面開放型の有底の方形状容器のいずれかから選択された２つ以上の方形状容器に備えられているフランジのいずれかを他の方形状容器の口部の一辺に係合させることができるので、横幅、深さ、奥行きの３つのパラメータのうちのいずれかを異ならしめた複数種の一面開放型の有底の方形状容器のいずれかから選択された２つ以上の方形状容器を互いに連結・固定することができ、いずれも分離しない状態で使用できる。
【考案の効果】
【００１４】
請求項１記載の考案によれば、横幅、深さ、奥行きのある同一形状の２つ以上の一面開放型の方形状容器を自由に組み合わることができ、この場合には、同一形状の２つ以上の上面開放型の方形状容器からなる屑入れとして利用できる。同一形状の２つ以上の上面開放型の方形状容器からなるリサイクルボックスとしても利用できる。
【００１５】
また、同一形状の２つ以上の方形状容器を寝かせた状態で重ね合わせれば、同一形状の２つ以上の側面開放型の方形状容器を複数段重ねたリサイクルボックスとして、あるいは、整理箱としても利用できる。
【００１６】
そして、これらの場合においては、同一形状の２つ以上の方形状容器に備えられているフランジのいずれかを同一形状の他の方形状容器の口部の一辺に係合させることができるので、同一形状の２つ以上の方形状容器を互いに連結・固定することができ、いずれも分離しない状態で使用できる。
【００１７】
請求項２記載の考案によれば、横幅、深さ、奥行きの３つのパラメータのうちのいずれかを異ならしめた複数種の一面開放型の有底の方形状容器のいずれかから選択された２つ以上の方形状容器を自由に組み合わることができるので、横幅、深さ、奥行きの３つのパラメータのうちのいずれかを異ならしめた複数種の一面開放型の有底の方形状容器のいずれかから選択された２つ以上の上面開放型の方形状容器からなる屑入れとして利用できる。横幅、深さ、奥行きの３つのパラメータのうちのいずれかを異ならしめた複数種の一面開放型の有底の方形状容器のいずれかから選択された２つ以上の上面開放型の方形状容器からなるリサイクルボックスとしても利用できる。
【００１８】
また、請求項２記載の考案によれば、横幅、深さ、奥行きの３つのパラメータのうちのいずれかを異ならしめた複数種の一面開放型の有底の方形状容器のいずれかから選択された２つ以上の方形状容器を寝かせた状態で重ね合わせることにより、横幅、深さ、奥行きの３つのパラメータのうちのいずれかを異ならしめた複数種の一面開放型の有底の方形状容器のいずれかから選択された２つ以上の側面開放型の方形状容器を複数段重ねたリサイクルボックスとして、あるいは、整理箱としても利用できる。
【００１９】
そして、これらの場合においては、横幅、深さ、奥行きの３つのパラメータのうちのいずれかを異ならしめた複数種の一面開放型の有底の方形状容器のいずれかから選択された２つ以上の方形状容器に備えられているフランジのいずれかを他の方形状容器の口部の一辺に係合させることができるので、横幅、深さ、奥行きの３つのパラメータのうちのいずれかを異ならしめた複数種の一面開放型の有底の方形状容器のいずれかから選択された２つ以上の方形状容器を互いに連結・固定することができ、いずれも分離しない状態で使用できる。
【考案を実施するための最良の形態】
【００２０】
本考案による組み合わせ自在の容器の好ましい実施の形態を、図面に基いて詳細に説明する。図１には、横幅、深さ、奥行きの３つのパラメータを異ならしめた組み合わせ自在の一面開放型の有底の方形状容器の４つのタイプＡ〜Ｄの一例が示されている。
図１(a)及び図１(b)に示す方形状容器Ａ、Ｂは、横幅及び深さが同じで、奥行きが異なる一面開放型の有底容器である。また、図１(c) に示す方形状容器Ｃは、図１(b)に示す方形状容器Ｂと奥行き及び深さが同じで、横幅を前記方形状容器Ｂより小さくした一面開放型の有底容器である。さらに、図１(d)に示す方形状容器Ｄは、図１(b)及び図１(c)に示す方形状容器Ｂ，Ｃの奥行きと横幅が同じで、かつ、奥行きも方形状容器Ｂ，Ｃの奥行きと同じ平面方形状で、前記深さを前記方形状容器Ｂ，Ｃより浅くした小型の一面開放型の有底容器である。
【００２１】
これら４つの一面開放型の有底の方形状容器Ａ〜Ｄを適宜用いた場合には、横幅、深さ、奥行きのある同一形状の２つ以上の方形状容器Ａ〜Ｄを適宜組み合わることができる。さらには、横幅、深さ、奥行きの３つのパラメータのうちのいずれかを異ならしめた複数種の方形状容器Ａ〜Ｄのいずれかから選択された２つ以上の方形状容器を適宜組み合わることができる。
【００２２】
例えば、図２に示すように、横幅及び深さが同じで、奥行きの異なる２つの一面開放型の方形状容器Ａ，Ｂを抱き合わせるように組み合わせることができる。この場合には、横幅及び深さが同じで、奥行きが異なる２つの上面開放型の方形状容器Ａ，Ｂからなる屑入れとして利用できる。横幅及び深さが同じで、奥行きが異なる２つの上面開放型の方形状容器Ａ，Ｂからなるリサイクルボックスとしても利用できる。
【００２３】
また、前記２つの方形状容器Ａ，Ｂを寝かせた状態で重ね合わせれば、側面開放型の２つの方形状容器Ａ，Ｂからなる２段重ねのリサイクルボックスとして、あるいは、整理箱としても利用できる。
【００２４】
また、図３に示すように、横幅及び奥行きの大きい一面開放型の有底の方形状容器Ａ内に、横幅及び奥行きの小さい一面開放型の有底の方形状容器Ｃと深さの浅い小型の一面開放型の有底の方形状容器Ｄとを並べて差込んで組み合わせることができ、この場合には、差込まれた小さい方形状容器Ｃを屑入れとして利用できる。さらに、横幅及び奥行きの大きい方形状容器Ａとこの中に差込まれていて横幅及び奥行きの小さい方形状容器Ｃ及び深さの浅い小型の一面開放型の有底の方形状容器Ｄとの空間Ｓ（スペース）を、傘立てなどにも利用できる。
【００２５】
さらに、図４に示すように、方形状容器Ａより奥行きを小さくした方形状容器Ｂと、この方形状容器Ｂと奥行きが同じの方形状容器Ｃ及びＤを並べた状態で抱き合わせるように組み合わせることができる。この場合には、奥行きがいずれも同じ３つの上面開放型の方形状容器Ｂ，Ｃ，Ｄからなる屑入れとして利用できる。横幅及び深さが同じで、奥行きが異なる２つの上面開放型の方形状容器Ａ，Ｂからなるリサイクルボックスとしても利用できる。
【００２６】
方形状容器Ａ、方形状容器Ｂに対して並べた状態で組み合わせる２つの方形状容器Ｃ，Ｄの横幅は、図３及び図４に示すように、方形状容器Ａ内にそれぞれがぴったり納まる寸法と、方形状容器Ｂの横幅にほぼ一致する寸法に設定されている。これらの横幅寸法を最も使用頻度の高いＡ４ペーパー、または、一般的なゴミの中でスペースを取り、捨てる頻度も高い５００ｍｌサイズのペットボトルを基準にして説明すると、図１(a)〜(c)に示すように、方形状容器Ａ，Ｂの横幅は、Ａ４ペーパーを横にして入れることが出来る寸法、または、少なくとも５００ｍｌサイズのペットボトル１本を寝かせて入れるとともに、もう１本を縦にして入れることが出来る寸法に設定することができる。また、方形状容器Ｃの横幅は、前記Ａ４ペーパーを縦にして入れることが出来る寸法、または、５００ｍｌサイズのペットボトル１本を寝かせて入れることが出来る寸法に設定することができる。
【００２７】
一方、方形状容器Ａ，Ｂ，Ｃの奥行きについては、前記５００ｍｌサイズのペットボトルを基準にした場合を例に挙げて説明すると、方形状容器Ａの奥行きは前記ペットボトルを２本並べて入れることが出来る寸法に、方形状容器Ｂ，Ｃの奥行きは前記ペットボトルを１本入れることが出来る寸法に設定することができる。
【００２８】
なお、図１(d)に示す方形状容器Ｄについては、図１(b)及び図１(c)に示す方形状容器Ｂ，Ｃの奥行きと横幅が同じで、かつ、奥行きも方形状容器Ｂ，Ｃの奥行きと同じ平面方形状であり、前記深さを前記方形状容器Ｂ，Ｃより浅くしたものである。
【００２９】
４つの方形状容器Ａ〜Ｄの組み合わせ方は自由である。例えば、横幅、深さ、奥行きのある同一形状の方形状容器を２つ以上自由に組み合わせても良いし、横幅、深さ、奥行きの３つのパラメータのうちのいずれかを異ならしめた複数種の方形状容器Ａ〜Ｄのいずれかから選択された２つ以上の方形状容器を自由に組み合わせても良い。
【００３０】
パーソナルユースあるいはオフィスの屑入れやリサイクルボックスに捨てる「ゴミ」としては、「紙類」、「再生用用紙」、「ビニール類」、「ペットボトル」、「缶」、「乾電池」、「カッターの刃」、「ホッチキスの針」などが考えられ、これらの「ゴミ」のうち、「紙類」、「再生用用紙」、「ビニール類」、「ペットボトル」、「缶」を前記屑入れやリサイクルボックスに捨てることができる。
【００３１】
一方、差込まれた深さの浅い前記方形状容器Ｄは、それを分別ゴミポケットとして利用することができ、上で例示した「ゴミ」のうちの「乾電池」や「カッターの刃」、「ホッチキスの針」その他比較的小さなゴミを分別して捨てることができる。
【００３２】
４つの方形状容器Ａ〜Ｄの正面側開口縁には、図５〜図８にそれぞれ示すように、他の方形状容器の口部の一辺ａ’〜ｄ’に係合させ得るフランジａ〜ｄが備えられている。したがって、各方形状容器Ａ〜Ｄに備えられているフランジａ〜ｄのいずれかを他の方形状容器の口部の一辺ａ’〜ｄ’のいずれかに係合させることができるので、同一形状の２つ以上の方形状容器を、さらには、４つの方形状容器Ａ〜Ｄのいずれかから選択された２つ以上の方形状容器を互いに連結・固定することができ、いずれも分離しない状態で使用できる。
【００３３】
図５〜図８において、(a)は各方形状容器Ａ〜Ｄの一部を切断した拡大正面図、(b)は各方形状容器Ａ〜Ｄの拡大平面図、(c)は各方形状容器Ａ〜Ｄの一部を切断した拡大側面図、(d)は各方形状容器Ａ〜Ｄの一部の拡大正面図、(e)は各図(c)におけるＥ部の拡大断面図である。
図５〜図８の各図(e)に詳示するように、前記フランジａ〜ｄには、他の方形状容器の口部の一辺ａ’〜ｄ’のいずれかを嵌入させ得る略倒Ｕ字状の溝１が形成されている。したがって、前記各溝１に他の各方形状容器Ａ〜Ｄの口部の一辺ａ’〜ｄ’のいずれかを嵌入することにより、各方形状容器Ａ〜Ｄに備えられているフランジａ〜ｄのいずれかを他の方形状容器の口部の一辺ａ’〜ｄ’のいずれかに係合させることができる。
【００３４】
なお、前記方形状容器Ａ〜Ｄならびにキャップ３はいずれも合成樹脂製とすることができる。これらの材質を合成樹脂製とすることにより、型による一体成型が可能である。
【図面の簡単な説明】
【００３５】
【図１】本考案による組み合わせ自在の容器の一例を示す概略図で、(a)はＡタイプの容器を、(b)はＢタイプの容器を、(c)はＣタイプの容器を、(d)はＤタイプの容器を、いずれも正面、平面、側面から見た状態で示す。
【図２】本考案による組み合わせ自在の容器の組み合わせの一例を示す平面図である。
【図３】本考案による組み合わせ自在の容器の別の組み合わせの一例を示す平面図である。
【図４】本考案による組み合わせ自在の容器のさらに別の組み合わせの一例を示す平面図である。
【図５】Ａタイプの方形状容器を示すもので、(a)は拡大正面図、(b)は拡大平面図、(c)は一部を切断した拡大側面図、(d)は一部の拡大正面図、(e)は(c)のＥ部の拡大断面図である。
【図６】Ｂタイプの方形状容器を示すもので、(a)は拡大正面図、(b)は拡大平面図、(c)は一部を切断した拡大側面図、(d)は一部の拡大正面図、(e)は(c)のＥ部の拡大断面図である。
【図７】Ｃタイプの方形状容器を示すもので、(a)は拡大正面図、(b)は拡大平面図、(c)は一部を切断した拡大側面図、(d)は一部の拡大正面図、(e)は(c)のＥ部の拡大断面図である。
【図８】Ｄタイプの方形状容器を示すもので、(a)は拡大正面図、(b)は拡大平面図、(c)は一部を切断した拡大側面図、(d)は一部の拡大正面図、(e)は(c)のＥ部の拡大断面図である。
【符号の説明】
【００３６】
Ａ〜Ｄ…方形状容器、ａ〜ｄ…フランジ、ａ’〜ｄ’…口部の一辺、Ｓ…スペース、１…フランジの溝。
【図１】
0003145681.tif 000003
【図２】
0003145681.tif 000004
【図３】
0003145681.tif 000005
【図４】
0003145681.tif 000006
【図５】
0003145681.tif 000007
【図６】
0003145681.tif 000008
【図７】
0003145681.tif 000009
【図８】
0003145681.tif 000010